(57)【要約】【課題】使用者の両眼の並んでいる方向が水平方向から傾いたときにも使用者の疲労を回避できる立体映像用メガネ,表示装置および立体映像表示システムを提供する。【解決手段】この立体映像表示システムでは、立体映像用メガネ１０２の傾きセンサ６が予め定められた角度(例えば２０°)以上の傾斜を検出した場合に、制御ＩＣ４は液晶駆動回路３を制御して、右眼用の液晶シャッター１と左眼用の液晶シャッター２の両方を閉じさせる。これにより、現在の姿勢では眼の疲労を招くことを視聴者に警告できると共に視聴者の眼の疲労を回避できる。【選択図】図１
2012205167.tif 000002
【特許請求の範囲】
【請求項１】
表示装置が時間的に交互に表示する右眼用映像と左眼用映像とを切り換えるタイミングを表す左右映像切換えタイミング信号を上記表示装置から受信する受信部と、
右眼用の液晶シャッターと、
左眼用の液晶シャッターと、
上記右眼用の液晶シャッターと上記左眼用の液晶シャッターとを独立に開閉制御する液晶シャッター駆動制御部と、
上記右眼用の液晶シャッターと上記左眼用の液晶シャッターが並んでいる方向の水平方向からの傾斜を検出する傾きセンサと
を備え、
上記液晶シャッター駆動制御部は、
上記傾きセンサが予め定められた角度以上の傾斜を検出した場合に、上記右眼用の液晶シャッターと上記左眼用の液晶シャッターの両方を閉じる第１の駆動制御と、上記表示装置の右眼用映像または左眼用映像の一方の映像が上記表示装置に表示されているときに上記右眼用の液晶シャッターと上記左眼用の液晶シャッターの両方を開き、上記表示装置の右眼用映像または左眼用映像の他方の映像が上記表示装置に表示されているときに上記右眼用の液晶シャッターと上記左眼用の液晶シャッターの両方を閉じる第２の駆動制御と、上記右眼用の液晶シャッターと上記左眼用の液晶シャッターの両方を開ける第３の駆動制御の３つの駆動制御のうちのいずれか１つの駆動制御を行なう一方、上記傾きセンサが予め定められた角度以上の傾斜を検出していない場合に、上記右眼用の液晶シャッターと上記左眼用の液晶シャッターを交互に開閉させる第４の駆動制御を行なうことを特徴とする立体映像用メガネ。
【請求項２】
請求項１に記載の立体映像用メガネにおいて、
送信部と、
上記傾きセンサが予め定められた角度以上の傾斜を検出した場合に、第一の信号を上記送信部から上記表示装置へ送信させる一方、上記傾きセンサが予め定められた角度以上の傾斜を検出していない場合に、第二の信号を上記送信部から上記表示装置へ送信させる送信制御部を備え、
上記液晶シャッター駆動制御部は、
上記傾きセンサが予め定められた角度以上の傾斜を検出した場合に、上記右眼用の液晶シャッターと上記左眼用の液晶シャッターの両方を開ける第３の駆動制御を行なうことを特徴とする立体映像用メガネ。
【請求項３】
請求項１または２に記載の立体映像用メガネにおいて、
上記傾きセンサを、ＭＥＭＳ型加速度センサで構成したことを特徴とする立体映像用メガネ。
【請求項４】
請求項１または２に記載の立体映像用メガネにおいて、
上記傾きセンサを、
上記右眼用の液晶シャッターと上記左眼用の液晶シャッターが並んでいる方向が水平方向から傾斜したときに、発光素子から受光素子への光が遮光されるようにしたフォトインタラプタで構成したことを特徴とする立体映像用メガネ。
【請求項５】
請求項１から４のいずれか１つに記載の立体映像用メガネにおいて、
上記液晶シャッター駆動制御部は、
上記傾きセンサが予め定められた角度以上の傾斜を検出して、上記第１〜第３の駆動制御のうちのいずれか１つの駆動制御を行なってから、上記傾きセンサが上記予め定められた角度よりも予め定められたハンチング回避角度以上小さい傾斜を検出したときに、上記第４の駆動制御を行なうことを特徴とする立体映像用メガネ。
【請求項６】
右眼用映像と左眼用映像を時間的に交互に表示する表示装置であり、
請求項２から５のいずれか１つに記載の立体映像用メガネの受信部に、右眼用映像と左眼用映像とを切り換えるタイミングを表す左右映像切換えタイミング信号を送信する表示側の送信部と、
表示側の受信部と
を備え、
上記表示側の受信部が、上記立体映像用メガネの送信部から上記第一の信号を受信した場合に、立体視を生じない２次元映像を表示する一方、上記表示側の受信部が上記立体映像用メガネの送信部から上記第二の信号を受信した場合に、上記右眼用映像と左眼用映像を時間的に交互に表示することを特徴とする表示装置。
【請求項７】
請求項２から５のいずれか１つに記載の立体映像用メガネと請求項６に記載の表示装置とを備えることを特徴とする立体映像表示システム。
【請求項８】
請求項７に記載の立体映像表示システムにおいて、
上記立体映像用メガネの受信部および送信部と、上記表示側の受信部および送信部とが、赤外線通信を行なうことにより双方向通信を行なうことを特徴とする立体映像表示システム。
【請求項９】
請求項７に記載の立体映像表示システムにおいて、
上記立体映像用メガネの受信部および送信部と、上記表示側の受信部および送信部とが、電波無線通信を行なうことにより双方向通信を行なうことを特徴とする立体映像表示システム。
【発明の詳細な説明】
【技術分野】
【０００１】
この発明は、立体映像用メガネ、立体映像用表示装置および立体映像表示システムに関し、より詳細には、テレビジョン受像機、パーソナルコンピュータ、プロジェクター等の立体映像表示装置に対応可能な立体映像用メガネ,立体映像用表示装置および立体映像表示システムに関する。
【背景技術】
【０００２】
従来、テレビジョン受像機やパーソナルコンピュータ等の表示装置を有する電子機器では、立体映像表示方式として、左眼用の映像と右眼用の映像とを液晶シャッターにて切換えるためのメガネ(立体映像用メガネ)を用いるのが一般的である。
【０００３】
実開昭６４−１９９１５号公報(特許文献１)には、ワイヤレス立体視用シャッターメガネが開示されている。このワイヤレス立体視用シャッターメガネは、図９の外観斜視図および図１０の要部断面図に示すように、メガネフレーム１００１に取り付けた右眼用液晶シャッター１００２と左眼用液晶シャッター１００３、上記メガネフレーム１００１の上縁に取り付けた受信部１００４、この受信部１００４に取り付けたヘッドバンド１００５を備える。上記受信部１００４は、赤外光透過フィルタ１０１０とシェードカバー１００６を有し、このシェードカバー１００６に受光素子１００９と信号処理回路１００７を内蔵している。赤外線通信により送られてくる液晶シャッター切り替えタイミング信号を受光素子１００９で受信し、信号処理回路１００７で液晶駆動信号に変換し、この液晶駆動信号で右眼用液晶シャッター１００２と左眼用液晶シャッター１００３を開閉制御する。また、上記ヘッドバンド１００５には、上記液晶シャッター１００２,１００３を開閉制御する装置を駆動するための電源装置１００８が取り付けられている。
【０００４】
また、特開平８−２６５８６３号公報(特許文献２)には、立体映像装置の液晶シャッターメガネのシャッター作用を遠隔制御するシステムが開示されている。このシステムでは、図１１の外観図に示すように、遠隔制御信号を送出する送信装置２０１２をテレビジョン受像機２０１１の上に設置し、上記送信装置２０１２から左右の画像に同期したメガネシャッター切り替え信号を送信する。一方、液晶シャッターメガネ２０２０は、ツル(メガネ枠)２０２１に左右の眼に対応する液晶シャッター２０２２,２０２３が取り付けられ、ツル２０２１の前部中央に受信装置２００４が装着されている。この受信装置２００４で上記送信装置２０１２からのメガネシャッター切り替え信号を受信する。
【０００５】
上記送信装置２０１２が送信するメガネシャッター切り替え信号は、テレビジョンの遠隔操作信号のうちの一つで、シャッター切り替えのための信号であることを識別する符号と、左眼用であるか右眼用であるかを区別する符号でなるコード信号であり、このコード信号によって搬送波を変調し、赤外線等によって送信装置２０１２の筐体の窓２０１３から送信される。
【０００６】
図１２に示すように、送信装置２０１１から赤外線信号として送られて来たメガネシャッター切り替え信号は、受信装置２００４の受信部２１０２の光電変換器で受光され、波形整形されたコード信号として、デコーダ２１０３に供給される。デコーダ２１０３は受信した信号を復号化してシャッター信号としてシャッターメガネ駆動装置２１０４に送る。シャッターメガネ駆動装置２１０４は、デコーダ２１０３から供給される制御信号としてのシャッター信号に従って、液晶シャッターメガネ２０２０の左眼用液晶シャター２０２２と右眼用液晶シャッター２０２３のシャッター動作を行う。なお、このシステムでは、パルス発生回路２１０７の出力パルスと受信部２１０２の出力とを位相比較器２１０８で比較してパルス発生回路２１０７を制御し、パルス発生回路２１０７の出力パルスの位相を受信部２１０２の出力パルスの位相に同期させる。これにより、スイッチ２１０６をオンオフさせて、コード信号が来ていない期間に受信部２１０２に電源が供給されないようにし消費電力を少なくしている。
【０００７】
ところで、立体画像表示装置を見る場合、少なくとも２種類の視差のある左眼用の表示画像と右目用の表示画像を１つのスクリーン上に表示し、レンズや回析格子による屈折作用もしくは装着した立体映像用メガネの作用によって、視聴者の左眼には左眼用の表示画像からの光が入射し、右目には右目用の表示画像からの光が入射するようにしている。
【０００８】
ところが、視聴者が、上述の様な液晶シャッターを利用して立体映像を見ることができる立体映像用メガネをかけているときに、立体映像表示装置の左眼用の画像と右目用の画像が並んでいる方向に対して視聴者の左右の目が並んでいる方向が傾いていると、視聴者は疲労を感じることが知られている(特開２００１−２９６５０１号公報(特許文献３)参照)。
【０００９】
このため、上記特許文献１および特許文献２に開示された立体映像用メガネによれば、ワイヤレスで両眼視差を利用した表示装置の立体映像を見ることができるが、両眼が水平から傾いた状態でもメガネの液晶シャッターはオンオフを繰り返すので、例えば、視聴者が寝転がって立体映像を見続けると気分が悪くなるなど身体的に好ましくない状況になる。
【先行技術文献】
【特許文献】
【００１０】
【特許文献１】実開昭６４−１９９１５号公報
【特許文献２】特開平８−２６５８６３号公報
【特許文献３】特開２００１−２９６５０１号公報
【発明の概要】
【発明が解決しようとする課題】
【００１１】
そこで、この発明の課題は、使用者の両眼が水平方向から傾いたときにも使用者の疲労を回避可能な立体映像用メガネ,表示装置および立体映像表示システムを提供することにある。
【課題を解決するための手段】
【００１２】
上記課題を解決するため、この発明の立体映像用メガネは、表示装置が時間的に交互に表示する右眼用映像と左眼用映像とを切り換えるタイミングを表す左右映像切換えタイミング信号を上記表示装置から受信する受信部と、
右眼用の液晶シャッターと、
左眼用の液晶シャッターと、
上記右眼用の液晶シャッターと上記左眼用の液晶シャッターとを独立に開閉制御する液晶シャッター駆動制御部と、
上記右眼用の液晶シャッターと上記左眼用の液晶シャッターが並んでいる方向の水平方向からの傾斜を検出する傾きセンサと
を備え、
上記液晶シャッター駆動制御部は、
上記傾きセンサが予め定められた角度以上の傾斜を検出した場合に、上記右眼用の液晶シャッターと上記左眼用の液晶シャッターの両方を閉じる第１の駆動制御と、上記表示装置の右眼用映像または左眼用映像の一方の映像が上記表示装置に表示されているときに上記右眼用の液晶シャッターと上記左眼用の液晶シャッターの両方を開き、上記表示装置の右眼用映像または左眼用映像の他方の映像が上記表示装置に表示されているときに上記右眼用の液晶シャッターと上記左眼用の液晶シャッターの両方を閉じる第２の駆動制御と、上記右眼用の液晶シャッターと上記左眼用の液晶シャッターの両方を開ける第３の駆動制御の３つの駆動制御のうちのいずれか１つの駆動制御を行なう一方、上記傾きセンサが予め定められた角度以上の傾斜を検出していない場合に、上記右眼用の液晶シャッターと上記左眼用の液晶シャッターを交互に開閉させる第４の駆動制御を行なうことを特徴としている。
【００１３】
この発明の立体映像用メガネによれば、使用者が頭を傾ける等して、上記右眼用の液晶シャッターと上記左眼用の液晶シャッターが並んでいる方向が水平方向から予め定められた角度以上に傾斜した場合に、上記液晶シャッター駆動制御部が、上記第１〜第３の駆動制御のうちのいずれか１つの駆動制御を行なうことで、使用者の眼の疲労を回避できる。
【００１４】
すなわち、上記第１の駆動制御では、上記右眼用の液晶シャッターと上記左眼用の液晶シャッターの両方を閉じるので、表示装置の立体視用映像が見えなくなり、現在の姿勢では眼の疲労を招くことを警告できると共に眼の疲労を回避できる。また、上記第２の駆動制御では、右眼用および左眼用の液晶シャッターの開閉を同期させて、使用者に右眼用映像または左眼用映像のいずれか一方の映像だけを見させるので、眼の疲労を回避できる。また、上記第３の駆動制御では、上記右眼用の液晶シャッターと上記左眼用の液晶シャッターの両方を開けるので、上記右眼用の液晶シャッターと上記左眼用の液晶シャッターを交互に開閉させる場合に比べて、眼の疲労を軽減できる。
【００１５】
また、一実施形態の立体映像用メガネでは、送信部と、
上記傾きセンサが予め定められた角度以上の傾斜を検出した場合に、第一の信号を上記送信部から上記表示装置へ送信させる一方、上記傾きセンサが予め定められた角度以上の傾斜を検出していない場合に、第二の信号を上記送信部から上記表示装置へ送信させる送信制御部を備え、
上記液晶シャッター駆動制御部は、
上記傾きセンサが予め定められた角度以上の傾斜を検出した場合に、上記右眼用の液晶シャッターと上記左眼用の液晶シャッターの両方を開ける第３の駆動制御を行なう。
【００１６】
この実施形態の立体映像用メガネによれば、使用者が頭を傾ける等して、上記右眼用の液晶シャッターと上記左眼用の液晶シャッターが並んでいる方向が水平方向から予め定められた角度以上に傾斜した場合に、上記送信部から上記第一の信号を上記表示装置に送信して、上記表示部に立体視を生じない２次元映像を表示させる。したがって、上記傾きセンサが予め定められた角度以上の傾斜を検出した場合に、上記右眼用の液晶シャッターと上記左眼用の液晶シャッターの両方を開けることで、使用者は通常の２Ｄ(２次元)映像を見ることとなり、眼の疲労を軽減できる。
【００１７】
また、一実施形態の立体映像用メガネでは、上記傾きセンサを、ＭＥＭＳ型加速度センサで構成した。
【００１８】
この実施形態の立体映像用メガネによれば、ＭＥＭＳ(Ｍicro Ｅlectro Ｍechanical Ｓystem)型加速度センサで傾きセンサを構成することで、傾きセンサを小型化でき、身体的なストレスをかけない小型軽量の立体映像用メガネを実現できる。
【００１９】
また、一実施形態の立体映像用メガネでは、上記傾きセンサを、
上記右眼用の液晶シャッターと上記左眼用の液晶シャッターが並んでいる方向が水平方向から傾斜したときに、発光素子から受光素子への光が遮光されるようにしたフォトインタラプタで構成したことを特徴としている。
【００２０】
この実施形態の立体映像用メガネによれば、傾きセンサを低コストで実現でき、身体的なストレスをかけない低コストな立体映像用メガネを実現できる。
【００２１】
また、一実施形態の立体映像用メガネでは、上記液晶シャッター駆動制御部は、
上記傾きセンサが予め定められた角度以上の傾斜を検出して、上記第１〜第３の駆動制御のうちのいずれか１つの駆動制御を行なってから、上記傾きセンサが上記予め定められた角度よりも予め定められたハンチング回避角度以上小さい傾斜を検出したときに、上記第４の駆動制御を行なう。
【００２２】
この実施形態の立体映像用メガネによれば、上記第１〜第３の駆動制御による眼の疲労回避動作に入る上記右眼用および左眼用の液晶シャッターの傾斜角度よりも予め定められたハンチング回避角度(一例として５度)以上小さい傾斜角度に戻ったときに第４の駆動制御による立体視動作を行なう。これにより、上記液晶シャッターの小さな揺れ等で疲労回避動作と立体視動作とが頻繁に切り替わることを回避でき、動作の切り替えを安定化できる。
【００２３】
また、一実施形態は、右眼用映像と左眼用映像を時間的に交互に表示する表示装置であり、
請求項２から５のいずれか１つに記載の立体映像用メガネの受信部に、右眼用映像と左眼用映像とを切り換えるタイミングを表す左右映像切換えタイミング信号を送信する表示側の送信部と、
表示側の受信部とを備え、
上記表示側の受信部が、上記立体映像用メガネの送信部から上記第一の信号を受信した場合に、立体視を生じない２次元映像を表示する一方、上記表示側の受信部が上記立体映像用メガネの送信部から上記第二の信号を受信した場合に、上記右眼用映像と左眼用映像を時間的に交互に表示する。
【００２４】
この実施形態の表示装置によれば、上記立体映像用メガネが予め定められた角度以上の傾斜を検出して、上記立体映像用メガネの送信部から上記立体視を生じない２次元映像を表示させるための第一の信号を受信すると、上記立体視を生じない２次元映像を表示する。よって、上記立体映像用メガネが、上記右眼用の液晶シャッターと上記左眼用の液晶シャッターの両方を開ける第３の駆動制御を行なうことで、使用者は、通常通りの明るい２次元映像を見ることができ、眼の疲労を回避して使用者の身体的なストレスを防止できる。
【００２５】
また、一実施形態の立体映像表示システムは、上記立体映像用メガネと上記表示装置とを備える。
【００２６】
この実施形態の立体映像表示システムによれば、使用者が予め定められた角度以上に両眼を傾けた時に表示装置の表示映像を立体視用映像から２次元映像に自動的に切り替えて、身体的なストレスをかけない立体映像表示システムを実現できる。
【００２７】
また、一実施形態の立体映像表示システムでは、上記立体映像用メガネの受信部および送信部と、上記表示側の受信部および送信部とが、赤外線通信を行なうことにより双方向通信を行なう。
【００２８】
この実施形態の立体映像表示システムによれば、双方向通信を赤外線通信で行なうので、指向性が高く混信を回避できる。
【００２９】
また、一実施形態の立体映像表示システムでは、上記立体映像用メガネの受信部および送信部と、上記表示側の受信部および送信部とが、電波無線通信を行なうことにより双方向通信を行なう。
【００３０】
この実施形態の立体映像表示システムによれば、双方向通信を無線通信で行なうので、通信が無指向性のためメガネが水平方向のどんな角度にあっても液晶シャッターの開閉が途切れることがなく、身体的なストレスをかけない立体映像表示システムを実現できる。
【発明の効果】
【００３１】
この発明の立体映像用メガネによれば、使用者が頭を傾ける等して、右眼用の液晶シャッターと左眼用の液晶シャッターが並んでいる方向が水平方向から予め定められた角度以上に傾斜した場合に、自動的に両方の液晶シャッターを閉じて映像を見えなくするか、使用者に２次元映像を見させるように液晶シャッターを制御して、使用者の眼の疲労を回避できる。
【図面の簡単な説明】
【００３２】
【図１】この発明の立体映像用メガネの第１,２実施形態の構成を示すブロック図である。
【図２】上記立体映像用メガネの斜視図である。
【図３】上記立体映像用メガネの水平姿勢と傾斜姿勢を示す正面図である。
【図４】この発明の立体映像用メガネの第３実施形態の構成を示すブロック図である。
【図５Ａ】傾きセンサの一例を示す上面図である。
【図５Ｂ】図５ＡのＡ‐Ａ’断面図である。
【図５Ｃ】図５ＡのＢ‐Ｂ’断面図である。
【図６】赤外線送信部と赤外線受信部を備えた上記第１,第２実施形態の構成を示すブロック図である。
【図７】電波無線送受信部を備えた上記第３実施形態の構成を示すブロック図である。
【図８】上記第１〜第３実施形態の立体映像用メガネの液晶シャッター駆動制御部の変形例の動作を説明する模式図である。
【図９】従来の立体映像用メガネの外観を示す斜視図である。
【図１０】上記従来の立体映像用メガネの断面図である。
【図１１】従来の立体映像表示システムを示す斜視図である。
【図１２】上記従来の立体映像表示システムのブロック図である。
【発明を実施するための形態】
【００３３】
以下、この発明を図示の実施の形態により詳細に説明する。
【００３４】
(第１の実施の形態) 
図１は、この発明の立体映像表示システムの第１実施形態の構成を簡略に示すブロック図である。この立体映像表示システムは、立体映像用表示装置１０１と立体映像用メガネ１０２とで構成されている。上記立体映像用表示装置１０１は、送信部１０と立体映像表示部１１とを備え、この立体映像表示部１１は、右眼用映像と左眼用映像を時間的に交互に映像表示する。また、上記送信部１０は、上記右眼用映像と左眼用映像とを切り換えるタイミングを表す左右映像切換えタイミング信号を送信する。
【００３５】
この送信部１０が送信した左右映像切換えタイミング信号は、立体映像用メガネ１０２が備える受信部９で受信される。
【００３６】
図２は、上記立体映像用メガネ１０２の斜視図である。この立体映像用メガネ１０２は、メガネフレーム２３と、このメガネフレーム２３に取り付けられた右眼用の液晶シャッター１と左眼用の液晶シャッター２を有する。また、上記メガネフレーム２３には、回路基板２２が取り付けられ、この回路基板２２は、フレキシブル基板２４でバッテリー８に電気的に接続されている。また、上記フレキシブル基板２４は、上記右眼用の液晶シャッター１と左眼用の液晶シャッター２をバッテリー８と回路基板２２に電気的に接続している。また、上記メガネフレーム２３の右眼用の液晶シャッター１と左眼用の液晶シャッター２との間に傾きセンサ６が取り付けられ、この傾きセンサ６は上記フレキシブル基板２４でバッテリー８と回路基板２２に電気的に接続されている。この傾きセンサ６は、上記右眼用の液晶シャッター１と上記左眼用の液晶シャッター２が並んでいる方向の水平方向からの傾斜を検出する。
【００３７】
この回路基板２２は、図１のブロック図に示す液晶駆動回路３と制御ＩＣ４と受信部９およびＩ/Ｆ(インターフェイス)部７とを含む。このＩ/Ｆ部７は、制御ＩＣ４と受信部９との間のインターフェイスおよび制御ＩＣ４と液晶駆動回路３との間のインターフェイスをなす。また、上記制御ＩＣ４は、ＭＰＵ(マイクロプロセッサ)と記憶部であるＲＯＭ(リードオンリメモリ)５を含み、受信部９からＩ/Ｆ部７を通して入力される左右映像切換えタイミング信号に基づいて、液晶駆動回路３を制御し、上記液晶駆動回路３は上記右眼用の液晶シャッターと上記左眼用の液晶シャッターを交互に開閉させる。上記制御ＩＣと液晶駆動回路３が液晶シャッター駆動制御部を構成している。上記記憶部としてのＲＯＭには、後述する予め定められた角度θ等の情報が記憶されている。
【００３８】
上記右眼,左眼用の液晶シャッター１,２は短冊状の液晶シャッターであり、人がこの立体映像用メガネ１０２を掛けたとき、短冊の長手方向が地面に対し略垂直な方向となる。また、上記液晶シャッター１,２の中心とは、この中心を結んだ中心線が液晶シャッター１,２の短冊の長手方向に対し垂直な方向(つまり、地面に対して略水平な方向)となるような仮想的な点である。人がこの立体映像用メガネ１０２を掛けたとき、この人の両目を結ぶ方向を人の顔の方向とすると、この人の顔が水平方向であるときにはこの立体映像用メガネ１０２の中心線と平行になると考えられる。したがって、人の顔が地面に対して水平方向から傾いたとき、立体映像用メガネ１０２も水平方向から傾くと考えられる。
【００３９】
この立体映像用メガネ１０２の傾きセンサ６は、図２に示すように、液晶シャッター１,２の間に垂直に取り付けられ、水平方向に対する立体映像用メガネ１０２の傾きが検知できるように配置されている。なお、傾きセンサ６は、水平方向からの傾きを検知できるのであれば配置場所は上記の位置に限らない。
【００４０】
上記構成の立体映像表示システムでは、上記立体映像用表示装置１０１は、立体映像表示部１１に右眼用映像と左眼用映像を時間的に交互に映像表示し、上記送信部１０は、上記右眼用映像と左眼用映像とを切り換えるタイミングを表す左右映像切換えタイミング信号を送信する。
【００４１】
一方、上記立体映像用メガネ１０２の受信部９は、上記左右映像切換えタイミング信号を受信して、制御ＩＣ４に入力する。また、この制御ＩＣ４には、上記傾きセンサ６の出力が入力される。制御ＩＣ４は、上記傾きセンサ６が検出した上記立体映像用メガネ１０２の傾斜が予め定められた角度θ(例えば２０°)未満である場合に、上記左右映像切換えタイミング信号に従って、液晶駆動回路３を制御し、液晶駆動回路３に上記右眼用の液晶シャッター１と上記左眼用の液晶シャッター２を交互に開閉させる(第４の駆動制御)。これにより、上記立体映像用表示装置１０１に右眼用映像が表示されているときに上記右眼用の液晶シャッター１を開いて上記左眼用の液晶シャッター２が閉じられ、上記立体映像用表示装置１０１に左眼用映像が表示されているときに上記右眼用の液晶シャッター１を閉じて上記左眼用の液晶シャッター２を開かれる。よって、この立体映像用メガネ１０２を着用した視聴者は、上記右眼用映像と左眼用映像による立体映像を視聴できる。
【００４２】
次に、上記視聴者の両眼が上記立体映像用表示装置１０１の立体映像表示部１１に向かった状態で、上記視聴者の顔が水平方向から２０°以上傾斜すると、傾きセンサ６は、図３に一点鎖線で示すように、上記右眼用の液晶シャッター１と左眼用の液晶シャッター２が並んでいる方向が水平方向ｈから２０°以上の角度θ傾斜したことを検出する。すると、上記制御ＩＣ４は、液晶駆動回路３を制御し、液晶駆動回路３に上記右眼用の液晶シャッター１と上記左眼用の液晶シャッター２の両方を閉じさせる(第１の駆動制御)。これにより、上述のように両眼の方向が水平方向ｈから２０°以上傾いた状態では右眼用の液晶シャッター１と左眼用の液晶シャッター２の両方が閉じたままの状態となって視聴者は、上記立体映像表示部１１の立体視用映像が見えなくなる。これによって、現在の姿勢では眼の疲労を招くことを視聴者に警告できると共に視聴者の眼の疲労を回避できる。
【００４３】
次に、上記視聴者の顔が水平方向に近づいて傾斜角度が２０°未満になると、上記傾きセンサ６は、上記立体映像用メガネ１０２の水平方向ｈからの傾きが予め定められた角度θ(例えば２０°)未満であることを検出する。すると、上記制御ＩＣ４は、液晶駆動回路３を制御して上記左右映像切換えタイミング信号に従って、上記右眼用の液晶シャッター１と上記左眼用の液晶シャッター２を交互に開閉させる(第４の駆動制御)。これにより、上記視聴者は、上記立体映像表示部１１に表示された上記右眼用映像と左眼用映像による立体映像を視聴できる。
【００４４】
なお、上記説明では、図３に例示するように、上記立体映像用メガネ１０２に向かって時計回りの方向に水平方向ｈから傾斜した場合を説明したが、向かって反時計回りの方向に立体映像用メガネ１０２が水平方向ｈから傾斜した場合も同様である。
【００４５】
また、上記第１実施形態において、上記傾きセンサ６が予め定められた角度θ(例えば２０°)以上の傾斜を検出して、上記制御ＩＣ４と液晶駆動回路３により、上記疲労回避のための第１の駆動制御を行なってから、上記傾きセンサ６が上記予め定められた角度θ(例えば２０°)よりも予め定められたハンチング回避角度、例えば５度以上小さい傾斜を検出したときに、上記制御ＩＣ４と液晶駆動回路３により、上記第１の駆動制御から上記第４の駆動制御に切り替えるようにしてもよい。この場合、図８に例示するように、上記第１の駆動制御による眼の疲労回避動作に入る上記右眼用および左眼用の液晶シャッター１,２の傾斜角度θ１よりも５度以上小さい傾斜角度θ２に戻ったときに第４の駆動制御による立体視動作を行なう。これにより、上記液晶シャッターの小さな揺れ等で第１〜第３の駆動制御による疲労回避動作と第４の駆動制御による立体視動作とが頻繁に切り替わることを回避でき、動作の切り替えを安定化できる。
【００４６】
(第２の実施の形態) 
次に、この発明の立体映像表示システムの第２実施形態を説明する。この第２実施形態は、図１のブロック図に示す制御ＩＣ４の制御内容が、前述の第１実施形態の制御ＩＣ４と異なる点だけが、前述の第１実施形態と異なる。よって、この第２実施形態では、主に制御ＩＣ４の制御内容について説明する。
【００４７】
この第２実施形態では、制御ＩＣ４は、上記傾きセンサ６の出力が入力され、上記傾きセンサ６が検出した上記立体映像用メガネ１０２の傾斜が予め定められた角度θ(例えば２０°)以上ではない場合に、上記左右映像切換えタイミング信号に従って、液晶駆動回路３を制御し、液晶駆動回路３に上記右眼用の液晶シャッター１と上記左眼用の液晶シャッター２を交互に開閉させる(第４の駆動制御)。この第４の駆動制御によって、視聴者に立体映像を見せる点は、前述の第１実施形態と同様である。
【００４８】
一方、上記視聴者の両眼が上記立体映像用表示装置１０１の立体映像表示部１１に向かった状態で、上記視聴者の顔が水平方向から２０°以上傾斜すると、傾きセンサ６は、図３に一点鎖線で示すように、上記右眼用の液晶シャッター１と左眼用の液晶シャッター２が並んでいる方向が水平方向ｈから２０°以上の角度θ傾斜したことを検出する。すると、上記制御ＩＣ４は、上記左右映像切換えタイミング信号に基づいて上記立体映像用表示装置１０１の右眼用映像が上記立体映像表示部１１に表示されているときに上記右眼用の液晶シャッター１と上記左眼用の液晶シャッター２の両方を開き、左眼用映像が上記立体映像表示部１１に表示されているときに上記右眼用の液晶シャッター１と上記左眼用の液晶シャッター２の両方を閉じる(第２の駆動制御)。
【００４９】
その後、上記傾きセンサ６が上記立体映像用メガネ１０２の水平方向ｈからの傾きが予め定められた角度θ(例えば２０°)未満であることを検出すると、上記制御ＩＣ４により液晶駆動回路３を制御して右眼用の液晶シャッター１と上記左眼用の液晶シャッター２を交互に開閉させる(第４の駆動制御)。
【００５０】
したがって、この第２実施形態によれば、視聴者が頭を傾ける等して、上記右眼用の液晶シャッター１と上記左眼用の液晶シャッター２が並んでいる方向が水平方向から予め定められた角度(例えば、２０°)以上に傾斜した場合に、右眼用の液晶シャッター１および左眼用の液晶シャッター２の開閉を同期させて、視聴者に右眼用映像と左眼用映像のうちの右眼用映像だけを見させる。これにより、視聴者は、予め定められた角度以上に両眼を傾けた時に自動的に立体映像から２次元映像に切り替えられた映像を視聴するから、眼の疲労を回避して身体的なストレスをかけない立体映像表示システムを実現できる。
【００５１】
なお、上記制御ＩＣ４は、上記傾きセンサ６が予め定められた角度(例えば２０°)以上の傾斜を検出した場合に、左眼用映像が上記立体映像表示部１１に表示されているときに上記右眼用の液晶シャッター１と上記左眼用の液晶シャッター２の両方を開き、右眼用映像が上記立体映像表示部１１に表示されているときに上記右眼用の液晶シャッター１と上記左眼用の液晶シャッター２の両方を閉じる制御を第２の駆動制御として行なってもよい。この場合、視聴者が頭を傾ける等して、上記右眼用の液晶シャッター１と上記左眼用の液晶シャッター２が並んでいる方向が水平方向から予め定められた角度(例えば、２０°)以上に傾斜した場合に、視聴者に右眼用映像と左眼用映像のうちの左眼用映像だけを見させる。
【００５２】
また、上記第２実施形態において、上記傾きセンサ６が予め定められた角度θ(例えば２０°)以上の傾斜を検出して、上記制御ＩＣ４と液晶駆動回路３により、上記疲労回避のための第２の駆動制御を行なってから、上記傾きセンサ６が上記予め定められた角度θ(例えば２０°)よりも予め定められたハンチング回避角度、例えば５度以上小さい傾斜を検出したときに、上記制御ＩＣ４と液晶駆動回路３により、上記第２の駆動制御から上記第４の駆動制御に切り替えるようにしてもよい。この場合、図８に例示するように、上記第２の駆動制御による眼の疲労回避動作に入る上記右眼用および左眼用の液晶シャッター１,２の傾斜角度θ１よりも５度以上小さい傾斜角度θ２に戻ったときに第４の駆動制御による立体視動作を行なう。これにより、上記液晶シャッターの小さな揺れ等で第１〜第３の駆動制御による疲労回避動作と第４の駆動制御による立体視動作とが頻繁に切り替わることを回避でき、動作の切り替えを安定化できる。
【００５３】
(第３の実施の形態) 
次に、この発明の立体映像表示システムの第３実施形態を説明する。この第３実施形態は、図４に示すように、図１の立体映像用表示装置１０１に替えて立体映像用表示装置２０１を備え、図１の立体映像用メガネ１０２に替えて立体映像用メガネ２０２を備える。この立体映像用メガネ２０２は、受信部９に替えて送信部と受信部を含んだ送受信部３１を有する点、および、制御ＩＣ４に替えて制御ＩＣ３４を有する点が、前述の立体映像用メガネ１０２と異なる。したがって、この第３実施形態では、上記立体映像用メガネ２０２については、前述の第１実施形態の立体映像用メガネ１０２と同じ構成部分に同じ符号を付して、前述の第１実施形態の立体映像用メガネ１０２と異なる部分を主に説明する。
【００５４】
この第３実施形態では、上記立体映像用表示装置２０１は、送信部と受信部を含んだ送受信部３０と立体映像表示部３３を有する。この立体映像表示部３３は、右眼用映像と左眼用映像を時間的に交互に映像表示する立体(３Ｄ)映像表示機能と２Ｄ(２次元)映像を表示する機能とを有する。上記送受信部３０が受信した信号に基づいて、この立体映像表示部３３の３Ｄ映像表示機能と２Ｄ映像表示機能とが切り替えられる。
【００５５】
上記立体映像表示部３３は、右眼用映像と左眼用映像を時間的に交互に映像表示しているときに、上記送受信部３０の送信部は、上記右眼用映像と左眼用映像とを切り換えるタイミングを表す左右映像切換えタイミング信号を送信する。また、上記立体映像用メガネ２０２の送受信部３１の受信部は、上記立体映像用表示装置２０１の送受信部３０の送信部からの左右映像切換えタイミング信号を受信する。この点は、前述の第１,第２実施形態と同様である。
【００５６】
また、この第３実施形態では、上記立体映像用メガネ２０２が有する制御ＩＣ３４は、上記傾きセンサ６が予め定められた角度(例えば２０°)以上の傾斜を検出していない場合に、上記立体映像用表示装置２０１の送受信部３０からの左右映像切換えタイミング信号に基づいて、上記右眼用の液晶シャッター１と上記左眼用の液晶シャッター２を交互に開閉させる第４の駆動制御を行なう。また、上記制御ＩＣ４は、上記傾きセンサ６が予め定められた角度(例えば２０°)以上の傾斜を検出していない場合に、右眼用映像と左眼用映像を交互に表示させるための信号を送受信部３１から上記立体映像用表示装置２０１へ送信する。
【００５７】
また、この第３実施形態では、上記立体映像用メガネ２０２が有する制御ＩＣ３４は、上記傾きセンサ６が予め定められた角度(例えば２０°)以上の傾斜を検出した場合に、液晶駆動回路３を制御して上記右眼用の液晶シャッター１と上記左眼用の液晶シャッター２の両方を開ける第３の駆動制御を行なう。また、上記制御ＩＣ３４は、上記傾きセンサ６が予め定められた角度(例えば２０°)以上の傾斜を検出した場合に、立体視を生じない２次元映像を表示させるための第一の信号を送受信部３１の送信部から上記立体映像用表示装置２０１へ送信する。
【００５８】
上記構成の立体映像表示システムによれば、上記傾きセンサ６が予め定められた角度(例えば２０°)以上の傾斜を検出していない場合、上記立体映像用メガネ２０２の制御ＩＣ３４は、送受信部３１の送信部から立体映像用表示装置２０１へ右眼用映像と左眼用映像を時間的に交互に表示させるための第二の信号を送信させる。そして、上記第二の信号を上記立体映像用表示装置２０１の送受信部３０が受信すると、上記送受信部３０からの上記第二の信号が入力された立体映像表示部３３は、３Ｄ映像のための右眼用映像と左眼用映像を時間的に交互に映像表示する。また、上記送受信部３０は、上記右眼用映像と左眼用映像とを切り換えるタイミングを表す左右映像切換えタイミング信号を送信する。
【００５９】
これより、上記立体映像用メガネ２０２の送受信部３１は、上記送受信部３０からの左右映像切換えタイミング信号を受信して、制御ＩＣ３４に入力する。すると、上記制御ＩＣ３４は、上記左右映像切換えタイミング信号に基づいて、液晶駆動回路３を制御して、上記右眼用の液晶シャッター１と上記左眼用の液晶シャッター２を交互に開閉させる第４の駆動制御を行なう。これにより、視聴者は、上記立体映像表示部３３に表示された立体映像を見ることができる。
【００６０】
一方、上記傾きセンサ６が予め定められた角度(例えば２０°)以上の傾斜を検出した場合、上記立体映像用メガネ２０２の制御ＩＣ３４は、送受信部３１の送信部から立体映像用表示装置２０１へ立体視を生じない２次元映像を表示させるための第一の信号を送信させる。これに伴い、上記制御ＩＣ３４は、液晶駆動回路３を制御して上記右眼用の液晶シャッター１と上記左眼用の液晶シャッター２の両方を開ける第３の駆動制御を行なう。これにより、上記傾きセンサ６が予め定められた角度(例えば２０°)以上の傾斜を検出した場合に、上記右眼用の液晶シャッター１と上記左眼用の液晶シャッター２の両方を開けることで、視聴者は通常の２Ｄ(２次元)映像を見ることとなり、眼の疲労を軽減できる。
【００６１】
尚、上記第３実施形態において、上記傾きセンサ６が予め定められた角度θ(例えば２０°)以上の傾斜を検出して、上記制御ＩＣ３４と液晶駆動回路３により、上記疲労回避のための第３の駆動制御を行なってから、上記傾きセンサ６が上記予め定められた角度θ(例えば２０°)よりも予め定められたハンチング回避角度、例えば５度以上小さい傾斜を検出したときに、上記制御ＩＣ３４と液晶駆動回路３により、上記第３の駆動制御から上記第４の駆動制御に切り替えると共に送受信部３１の送信部から立体映像用表示装置２０１へ右眼用映像と左眼用映像を時間的に交互に表示させるための信号を送信させようにしてもよい。この場合、図８に例示するように、上記第３の駆動制御による眼の疲労回避動作に入る上記右眼用および左眼用の液晶シャッター１,２の傾斜角度θ１よりも５度以上小さい傾斜角度θ２に戻ったときに第４の駆動制御による立体視動作を行なう。これにより、上記液晶シャッターの小さな揺れ等で疲労回避動作と立体視動作とが頻繁に切り替わることを回避でき、動作の切り替えを安定化できる。
【００６２】
尚、上記第１〜第３実施形態では、予め定められた角度θを一例として、２０°として説明したが、この角度θは、２０°に限らないのは勿論で、例えば、１５°から２５°の範囲または１０°から３０°の範囲内の所望値に設定してもよい。
【００６３】
(傾きセンサ６の具体例)
上述の第１〜第３実施形態の立体映像用メガネ１０２,２０２が備える傾きセンサ６としては、一例として、ＭＥＭＳ(Ｍicro Ｅlectro Ｍechanical Ｓystem)型加速度センサを採用できる。このＭＥＭＳ型加速度センサを採用することで、傾きセンサ６を小型化でき、装着した使用者に身体的なストレスをかけない小型軽量の立体映像用メガネを実現できる。
【００６４】
また、上記傾きセンサ６の他の一例として、フォトインタラプタを利用してもよい。図５Ａは、上記フォトインタラプタを利用した傾きセンサ６の平面図であり、図５Ｂは図５ＡのＡ−Ａ’断面図、図５Ｃは図５ＡのＢ−Ｂ’断面図である。この傾きセンサ６は、遮光性樹脂で作製された支持体５４６とこの支持体５４６と一体の保持部５５６、および上記支持体５４６と保持部５５６の継ぎ目に係止爪５４７ａ,５４７ｂが嵌合する遮光性樹脂製の蓋体５４７が外装部５５７をなす。なお、図５Ｃでは、蓋体５４７を省略している。上記支持体５４６には溝５５５が形成され、上記溝５５５の開口部に上記蓋体５４７が覆い被さっている。上記蓋体５４７は、上記支持体５４６に装着する際に係止爪５４７ａ,５４７ｂが外側に広がるように弾性変形するので、作業上、容易かつ確実に支持体５４６と保持部５５６に係止される。このため、上記蓋体５４７は、人の手などで外さない限り衝撃等で支持体５４６と保持部５５６から容易に外れることはない。
【００６５】
上記溝５５５の底面は、長手方向の中央部の底平面５４４ｃとこの底平面５４４ｃの両端から長手方向の両側に上り勾配で延在している傾斜面５４４ａ,５４４ｂで構成されている。この傾斜面５４４ａ,５４４ｂは、上記中央部の底平面５４４ｃから予め定められた傾斜角θで傾斜している。上記溝５５５内にはボール体５４８が配置され、このボール体５４８は、一例としてステンレス製であり、上記溝５５５内を底平面５４４ｃ,傾斜面５４４ａ,５４４ｂに沿って走行可能になっている。上記蓋体５４７は、上記ボール体５４８が上記溝５５５から飛び出さないようにする役目を果たしている。
【００６６】
図５Ｃに示すように、この支持体５４６は断面コ字形状であり、上記支持体５４６の短手方向の一方の壁部５４６ａには、窓部５５８ａが形成されており、この窓部５５８ａに受光側１次モールド体５５４が搭載されている。この受光側１次モールド体５５４には受光チップ５５２がモールドされている。また、上記支持体５４６の短手方向の他方の壁部５４６ｂには、窓部５５８ｂが形成されており、この窓部５５８ｂに発光側１次モールド体５５３が搭載されている。この発光側１次モールド体５５３に発光チップ５５１がモールドされている。図５Ｂに示すように、受光側１次モールド体５５４は、受光チップ５５２の受光面５５２ａが溝５５５内の支持体５４６の傾斜面５４４ｂの上端付近に位置している。また、上記受光チップ５５２のもう１つの受光面５５２ｂがもう１つの傾斜面５４４ａの上端付近に位置している。
【００６７】
次に、図５Ｂを参照して、上記構成の傾きセンサ６の動作を説明する。この傾きセンサ６は、非傾斜状態では、底平面５４４ｃの中央部に位置し、発光チップ５５１からの光は遮られることなく受光チップ５５２の２つの受光面５５２ａ,５５２ｂに入射される。このとき、上記制御ＩＣ４,３４は、２つの受光面５５２ａ,５５２ｂからの出力信号をリード端子５４９ａ,５４９ｃから受けて被検出体(立体映像用メガネ１０２,２０２)が非傾斜状態であることを判断する。一方、図５Ｂにおいて、上記被検出体が傾斜面５４４ａの傾斜角度θを越えて、左方へ傾斜した傾斜状態では、ボール体５４８は、一点鎖線で示すように傾斜面５４４ａの端部に移動し、発光チップ５５１からの光がこのボール体５４８によって遮られて、受光面５５２ａに入射しなくなる。これにより、発光チップ５５１からの光は、図５Ｂにおいて、右側の受光面５５２ｂだけに入射される。このとき、上記制御ＩＣ４,３４は、２つの受光面５５２ａ,５５２ｂからの出力信号をリード端子５４９ａ,５４９ｃから受けて被検出体(立体映像用メガネ１０２,２０２)が傾斜状態であると判断する。また、図５Ｂにおいて、上記被検出体が傾斜面５４４ｂの傾斜角度θを越えて、右方へ傾斜した傾斜状態では、ボール体５４８は、一点鎖線で示すように傾斜面５４４ｂの端部に移動し、発光チップ５５１からの光がこのボール体５４８によって遮られて、受光面５５２ｂに入射しなくなる。これにより、発光チップ５５１からの光は、図５Ｂにおいて、左側の受光面５５２ａだけに入射される。このとき、上記制御ＩＣ４,３４は、２つの受光面５５２ａ,５５２ｂからの出力信号をリード端子５４９ａ,５４９ｃから受けて被検出体(立体映像用メガネ１０２,２０２)が傾斜状態であると判断する。このフォトインタラプタを利用した傾きセンサ６では傾斜面５４４ａ,５４４ｂの角度θを上記予め定められた角度θ(例えば２０°)と等しくすればよい。また、疲労回避動作を行ってから第４の制御動作に切り替える角度はボール体５４８が傾斜面５４４ａ,５４４ｂの端部より動き出すまでの角度で決まるので特別な制御を必要としない。
【００６８】
上記構成の傾きセンサ６は、電子カメラ等の各種機器,装置に搭載され、その傾斜方向を検出するものであるが、傾きセンサ６が安価に入手できるようになり、身体的なストレスをかけない安価な立体映像用メガネを実現できる。
【００６９】
(第１,第２実施形態の送信部１０と受信部９の具体例)
図６に、上記第１実施形態の立体映像表示システムの立体映像用表示装置１０１と立体映像用メガネ１０２を示す。上記立体映像用表示装置１０１は、送信部１０の具体的一例としての赤外線送信部６６１を備える。また、上記立体映像用メガネ１０２は、受信部９の具体的一例としての赤外線受信部６６４を備える。上記赤外線送信部６６１は、赤外発光素子６６２とこの赤外発光素子６６２を駆動する駆動回路６６３を有する。また、上記赤外線受信部６６４は、赤外受光素子６６５とこの赤外受光素子６６５からの信号を増幅する増幅回路６６６を有する。
【００７０】
上記赤外線送信部６６１では、駆動回路６６３により赤外発光素子６６２を駆動して、赤外線による左右映像切換えタイミング信号を送信する。この左右映像切換えタイミング信号は、右眼用映像と左眼用映像とを切り換えるタイミングを表す。一方、上記赤外線受信部６６４では、赤外受光素子６６５が上記左右映像切換えタイミング信号を受光し、上記受光信号による左右映像切換えタイミング信号を、増幅回路６６６で増幅する。この増幅された受光信号は、Ｉ/Ｆ部７を介して制御ＩＣ４へ入力される。この制御ＩＣ４は、上記第１,第２実施形態において述べた内容と同様の動作をする。
【００７１】
この具体例の赤外線送信部６６１と赤外線受信部６６４によれば、指向性が高く混信を回避できると共に、立体映像用表示装置１０１の送信部１０と立体映像用メガネ１０２の受信部９を安価に実現できる。
【００７２】
尚、上記送信部１０を電波無線送信部とし、上記受信部９を電波無線受信部としてもよい。この場合、通信が無指向性のため立体映像用メガネが水平方向のどんな角度にあっても液晶シャッターの開閉が途切れることがなく、身体的なストレスを回避できる。
【００７３】
(第３実施形態の送受信部３０,３１の具体例)
図７に、上記第３実施形態の立体映像表示システムの立体映像用表示装置２０１と立体映像用メガネ２０２を示す。上記立体映像用表示装置２０１は、送受信部３０の具体的一例としての電波無線送受信部７６８を備える。また、上記立体映像用メガネ２０２は、送受信部３１の具体的一例としての電波無線送受信部７６９を備える。
【００７４】
上記立体映像用表示装置２０１の電波無線送受信部７６８では、電波による左右映像切換えタイミング信号を送信する。この左右映像切換えタイミング信号は、右眼用映像と左眼用映像とを切り換えるタイミングを表す。一方、上記立体映像用メガネ２０２の電波無線送受信部７６９では、上記電波による左右映像切換えタイミング信号を受信する。この左右映像切換えタイミング信号は、Ｉ/Ｆ部７を介して制御ＩＣ３４へ入力される。この制御ＩＣ３４は、上記第３実施形態において述べた内容と同様の動作をする。
【００７５】
よって、上記立体映像用メガネ２０２の電波無線送受信部７６９は、傾きセンサ６が予め定められた角度以上の傾斜を検出した場合に、立体視を生じない２次元映像を表示させるための第一の信号を立体映像用表示装置２０１の電波無線送受信部７６８に無線送信する。これにより、上記第３実施形態で述べた通り、上記傾きセンサ６が予め定められた角度(例えば２０°)以上の傾斜を検出した場合に、右眼用の液晶シャッター１と左眼用の液晶シャッター２の両方を開けて、視聴者は通常の２Ｄ(２次元)映像を見ることができ、眼の疲労を軽減できる。
【００７６】
また、この具体例の立体映像表示システムによれば、双方向通信を無線通信で行なうので、通信が無指向性のためメガネが水平方向のどんな角度にあっても液晶シャッターの開閉が途切れることがなく、身体的なストレスをかけない立体映像表示システムを実現できる。
【００７７】
また、上記送受信部３０および３１を、赤外線通信を行なうことにより双方向通信を行なう赤外線送受信部としてもよい。この場合、双方向通信を赤外線通信で行なうので、指向性が高く混信を回避できる。
【００７８】
上述したように、上記第１〜第３実施形態の立体映像表示システムを採用した電子機器によれば、観賞者の両眼が傾いたときに、自動的に眼の疲労回避のための第１〜第３の駆動制御のうちのいずれか１つの駆動制御が行なわれて、立体映像用メガネの液晶シャッターの動作を自動的に切り替えることにより身体的なストレスをかけない立体映像に関する電子機器を実現できる。
【００７９】
尚、本発明の立体映像用メガネ,表示装置および立体映像表示システムは、上述の実施形態に限定されない。例えば、上記第１から第３実施形態のそれぞれの特徴点を様々に組み合わせてもよい。また、上記第１から第３実施形態の立体映像用メガネを、テレビやパソコン等の電子機器に一体に用いてもよいし、また、オフィス,家庭用プロジェクターや映画館の映写システム、ゲーム機器などに本発明を適用してもよい。
【符号の説明】
【００８０】
１  右眼用の液晶シャッター
２  左眼用の液晶シャッター
３  液晶駆動回路
４,３４  制御ＩＣ
５  ＲＯＭ(記憶部)
６  傾きセンサ
７  Ｉ/Ｆ(インターフェイス)部
８  バッテリー
９  受信部
１０  送信部
１１,３３  立体映像表示部
２２  回路基板
２３  メガネフレーム
２４  フレキシブル基板
３０  送受信部(立体映像用表示装置側)
３１  送受信部(立体映像用メガネ側)
１０１,２０１  立体映像用表示装置
１０２,２０２  立体映像用メガネ
５４４ａ,５４４ｂ  傾斜面
５４４ｃ  底平面
５４６  支持体
５４６ａ,５４６ｂ  壁部
５４７  蓋体
５４７ａ,５４７ｂ  係止爪
５４８  ボール体
５４９ａ〜５４９ｃ  リード端子
５５１  発光チップ
５５２  受光チップ
５５２ａ,５５２ｂ  受光面
５５３  発光側１次モールド体
５５４  受光側１次モールド体
５５５  溝
５５６  保持部
５５７  外装部
５５８ａ,５５８ｂ  窓部
６６１  赤外線送信部
６６２  赤外発光素子
６６３  駆動回路
６６４  赤外線受信部
６６５  赤外受光素子
６６６  増幅回路
７６８,７６９  電波無線送受信部
【図１】
2012205167.tif 000003
【図２】
2012205167.tif 000004
【図３】
2012205167.tif 000005
【図４】
2012205167.tif 000006
【図５Ａ】
2012205167.tif 000007
【図５Ｂ】
2012205167.tif 000008
【図５Ｃ】
2012205167.tif 000009
【図６】
2012205167.tif 000010
【図７】
2012205167.tif 000011
【図８】
2012205167.tif 000012
【図９】
2012205167.tif 000013
【図１０】
2012205167.tif 000014
【図１１】
2012205167.tif 000015
【図１２】
2012205167.tif 000016